(57)【要約】【課題】子供の成長を考えて、子供部屋の広さに応じた配置のできるシステム家具を提供する。【解決手段】システム家具は鉛直方向に延び、一方の脚となる鉛直軸１１と、鉛直軸１１に連結された棚１２と、鉛直軸１１に回転自在に取り付けられた机１４および机１５とを含む。棚１２の鉛直軸１１の反対側には棚支持脚１３が、机１４および机１５の鉛直軸１１の反対側には上部脚１４ｃおよび下部脚部１６ｂが設けられ、鉛直軸１１から棚支持脚１３への寸法は上部脚部１４ｃまでの寸法より大きく、上部脚部１４ｃまでの寸法は下部脚部１４ｃまでの寸法より大きい。【選択図】　　　　図１
2004041626.tif 000002
【特許請求の範囲】
【請求項１】
鉛直方向に延びる鉛直軸と、
一方端が前記鉛直軸に連結されて水平方向に延在する水平部分、および前記水平部分の他方端から床面にまで延びる脚部を含む第１家具要素と、
一方端が前記鉛直軸に連結されて水平方向に延在する水平部分、および前記水平部分の他方端から床面にまで延びる脚部を含む第２家具要素とを備え、
前記第１家具要素および前記第２家具要素は、前記鉛直軸の周りを相対的に回転可能である、システム家具。
【請求項２】
前記第１家具要素の水平部分の長さは、前記第２家具要素の水平部分の長さよりも短く、
前記第１家具要素の脚部の高さは、前記第２家具要素の脚部の高さよりも低い、請求項１に記載のシステム家具。
【請求項３】
前記第１家具要素および前記第２家具要素は、ともに机である、請求項１または２に記載のシステム家具。
【請求項４】
前記第１家具要素は机であり、前記第２家具要素は棚である、請求項１〜３のいずれかに記載のシステム家具。
【請求項５】
前記第１家具要素の水平部分と前記第２家具要素の水平部分との間に位置し、かつ前記鉛直軸の周りを回転自在な円盤をさらに備え、
前記円盤は、物品収納領域を含み、
前記第２家具要素の水平部分には、前記円盤の物品収納領域を露出させるための開口が形成されている、請求項２に記載のシステム家具。
【請求項６】
前記円盤は、前記鉛直軸を中心にして円周方向に分割された複数の物品収納領域を含む、請求項５に記載のシステム家具。
【発明の詳細な説明】
【０００１】
【発明の属する技術分野】
この発明はシステム家具に関し、特に、子供の成長応じて使用形態を変更できるシステム家具に関する。
【０００２】
【従来の技術】
従来、さまざまなシステム家具が市場に提供されている。これらのシステム家具は一般に若者や大人用のものである。
【０００３】
【発明が解決しようとする課題】
従来のシステム家具は上記のようなものであった。ユーザとして大人を考えているため、大人の視点から考えたものしか市場には提供されていなかった。
【０００４】
この発明は子供の成長に応じて変化する、子供部屋の広さに応じた配置のできるシステム家具を提供することを目的とする。
【０００５】
【課題を解決するための手段】
この発明にかかるシステム家具は鉛直方向に延びる鉛直軸と、一方端が鉛直軸に連結されて水平方向に延在する水平部分、および水平部分の他方端から床面にまで延びる脚部を含む第１家具要素と、一方端が鉛直軸に連結されて水平方向に延在する水平部分、および水平部分の他方端から床面にまで延びる脚部を含む第２家具要素とを備え、第１家具要素および第２家具要素は、鉛直軸の周りを相対的に回転可能である。
【０００６】
第１家具要素および第２家具要素は、鉛直軸の周りに相対的に回転可能であるため、鉛直軸を中心として第１および第２家具要素を任意の状態で配置できる。その結果、部屋の広さに応じた配置のできるシステム家具を提供できる。
【０００７】
好ましくは、第１家具要素の水平部分の長さは、第２家具要素の水平部分の長さよりも短く、第１家具要素の脚部の高さは、第２家具要素の脚部の高さよりも低い。
【０００８】
第１家具要素の外形寸法は、第２家具要素の外形寸法より小さくなるよう設定されているため、第１家具要素は第２家具要素に収納される。その結果、コンパクトに収納できるシステム家具が提供できる。
【０００９】
第１家具要素および第２家具要素は、ともに机であってもよい。小さいほうの机を子供が使用し、大きいほうの机を親が使用できるため、親子で一緒に利用できるシステム家具が提供できる。
【００１０】
また、第１家具要素は机であり、第２家具要素は棚であってもよい。棚付の机として利用できるため、有効な収納スペースを有するシステム家具を提供できる。
【００１１】
好ましくは、システム家具は第１家具要素の水平部分と第２家具要素の水平部分との間に位置し、かつ鉛直軸の周りを回転自在な円盤をさらに備え、円盤は、区画された複数の物品収納領域を含み、第２家具要素の水平部分には、円盤の物品収納領域を露出させるための開口が形成されている。
【００１２】
物品収納領域を有する円盤とその円盤の物品収納領域を露出させるための開口が第２家具要素に設けられているため、小物を収納できるシステム家具を提供できる。
【００１３】
さらに好ましくは、円盤は、鉛直軸を中心にして円周方向に分割された複数の物品収納領域を含む。分割された複数の物品収納領域を有するため、色々な小物を分類して収納できるシステム家具を提供できる。
【００１４】
【発明の実施の形態】
以下この発明の実施の形態を図面を参照して説明する。
【００１５】
図１はこの発明に係るシステム家具を具体化した一例を示す子供部屋用のシステム家具の斜視図である。図１を参照して、システム家具は垂直方向に伸び、システム家具の一方の脚となる鉛直軸１１と、鉛直軸１１の上端部において水平方向に設けられた棚１２と、棚１２を支持するためのもう一方の脚となる棚支持脚１３と、鉛直軸１１の中央部に水平方向に設けられた上部机１４および下部机１６と、上部机１４と下部机１６との間に所定の間隔を保持するための回転円盤１５とを含む。
【００１６】
鉛直軸１１の上部は所定の径および長さを有する円筒形状である。鉛直軸１１の中央部は細く絞られ、下部はまた脚として安定するように上部と同様に大きな径を有している。また、中央部は後に説明する机部を取り付けるために多少太い径を有してもよい。
【００１７】
棚１２は上板１２ａと、下板１２ｂと、上板１２ａと下板１２ｂとの間に設けられ、水平方向に移動自在に設けられた引き戸１２ｃとを含む。棚１２の幅寸法は鉛直軸１１の上部の径に近い寸法を有し、その高さも鉛直軸１１の上部の円筒部の長さに等しくするのが好ましい。引き戸１２ｃは鉛直軸１１の方向へ移動したときその表面に当接する。棚１２の幅寸法と棚支持脚１３の幅寸法は等しくするのが好ましい。また、棚１２は鉛直軸１１に対して固定されている。
【００１８】
上部机１４は棚板１４ａと、机部１４ｂと、棚板１４ａを鉛直軸１１の反対側で支持する棚板支持部１４ｃ（図４参照）とを含む。棚板１４ａと机部１４ｂは一体に構成され、鉛直軸１１に対して回転可能に設けられている。机部１４ｂの鉛直軸１１の反対側には上部机脚部１４ｃが設けられている。机部１４ｂの幅と上部机脚部１４ｃの幅は等しくするのが好ましい。
【００１９】
回転円盤１５および下部机１６も鉛直軸１１に対して回転可能に設けられている。下部机１６は机部１６ａと、鉛直軸１１の反対側に設けられた下部机脚部１６ｂを含む。机部１６ａおよび下部机脚部１６ｂの幅寸法は等しくするのが好ましい。
【００２０】
棚支持脚１３、上部机脚部１４ｃおよび下部机脚部１６ｂのそれぞれの鉛直軸１１からの長さは上部机脚部１４ｃが下部机脚部１６ｂを収納し、棚支持脚１３が上部机脚部１４ｃを収納するように選ばれている。すなわち、棚１２の水平部寸法＞上部机の水平部寸法＞下部机の水平部寸法となっている。したがって、図１に示すように、棚１２、上部机１４および下部机１６は重ねて収納可能である。
【００２１】
棚支持脚１３の側面には縦方向に複数の凹部１７が設けられている。凹部１７には写真等が収納できるようになっている。また、棚１２の下板１２ｂの下部にはハンガー１８が設けられている。
【００２２】
次に使用状態について説明する。図１に示すシステム家具は子供部屋に置かれ、通常子供が使用する。子供は上部机１４と下部机１６の長手方向に対向して図示の無い椅子に座って絵を書いたり、学習を行う。なお、上部机１４の高さによっては子供は座机として上部机１４を使用してもよい。また、上部机１４と下部机１６との間の空間は小物入れとして使用してもよい。また、棚１２には子供のおもちゃ等を収納できる。
【００２３】
次に、システム家具の他の使用例について説明する。図２は図１に示したシステム家具において下部机１６のみを鉛直軸１１に対して回転させた状態を示す図である。このように配置すると、上部机１４を親が使用し、下部机１６を子供が使用するといった使用形態も可能である。また、子供が成長するにつれて、より広い机の面積を要求するようになるが、図２に示すような状態で机を使用することにより、図１の場合に比べて子供は約２倍の面積の机を利用できる。
【００２４】
図３はさらに他の使用状態を示す図である。図３を参照して、ここでは上部机１４と下部机１６とを重ねて鉛直軸１１に対して回転させた状態を示す図である。子供が成長するにつれて、自分の部屋に自分の衣服等を保管するようになる。そのような場合、このように配置することによって、机のスペースを確保しながら、ハンガー１８に子供が自分の衣服をつるすことが可能になる。
【００２５】
図４はシステム家具の他の実施の形態を示す図である。この実施の形態のシステム家具は、図１に示したシステム家具から、上部机１４から上の部分を取り除いたものである。それ以外の構成は図１で説明したとおりである。この構成ではシステム家具はコンパクトになり、使い勝手が向上するし、また、移動が容易となる。なお、使用状態としては、棚１２の無い点を除いて、図１と基本的に同じである。
【００２６】
図５は図４に示したシステム家具において、下部机１６を上部机１４に対して回転させて配置した状態を示す図である。このように配置することによって、図４および図２で述べた使用状態を実現できる。
【００２７】
図６は回転円盤１５をその上部から見た平面図であり、図７は上部机１４の机部１４ｂをその上部から見た平面図である。図６を参照して、回転円盤１５は鉛直軸１１を中心に円周方向に分割された８つの小物を収納可能な物品収納領域を有する。各物品収納領域は回転円盤１５の厚さに対応する深さを有する。
【００２８】
図７を参照して、机部１４ｂの鉛直軸１１に隣接した部分には開口１４ｄが設けられている。開口１４ｄは回転円盤１５を適当に回転したとき、回転円盤１５に設けられた８つの物品収納領域空間のうちの任意の物品収納領域にアクセス可能な位置に設けられている。
【００２９】
図面を参照してこの発明の一実施形態を説明したが、本発明は、図示した実施形態に限定されるものではない。本発明と同一の範囲内において、または均等の形態に限定されるものではない。本発明と同一の範囲内において、または均等の範囲内において、図示した実施形態に対して種々の変更を加えることが可能である。そのいくつかを例示的に列挙して説明する。
【００３０】
（１）上記実施の形態においては鉛直軸１１に取り付けられる要素として、机および棚を例にあげたが、これに限らず、ベビーベッドや、引出し等を取り付けてもよい。
【００３１】
（２）上記実施の形態では鉛直軸と棚とを固定したが、これに限らず棚を鉛直軸に対して回転可能としてもよい。
【００３２】
（３）上記実施の形態では棚、上部机および下部机は相互に回転させても水平方向で当接しないように鉛直軸に連結された例を示したが、これに限らず、鉛直軸への連結は重ならないが、たとえば上部机の机部自身に段差を設けて上部机と下部机を鉛直軸部分で重ならないように配置したとき、それぞれの高さが同一になるようにしてもよい。
【図面の簡単な説明】
【図１】システム家具を正面から見た斜視図である。
【図２】システム家具の他の使用状態を示す図である。
【図３】システム家具のさらに他の使用状態を示す図である。
【図４】システム家具の他の例を示す図である。
【図５】図４に示したシステム家具の他の使用状態を示す図である。
【図６】システム家具を回転円盤の上方から見た平面図である。
【図７】システム家具を上部机の机部の上方から見た平面図である。
【符号の説明】
１１　鉛直軸、１２　棚、１３　棚支持脚、１４　上部机、１５　回転円盤、１６　下部机、１７　凹部、１８　ハンガー。
【図１】
2004041626.tif 000003
【図２】
2004041626.tif 000004
【図３】
2004041626.tif 000005
【図４】
2004041626.tif 000006
【図５】
2004041626.tif 000007
【図６】
2004041626.tif 000008
【図７】
2004041626.tif 000009